(57)【要約】【課題】ユーザーが出力先を容易に把握することができる印刷システムを提供する。【解決手段】印刷システム２７は、複数の印刷装置１１ａ〜１１ｃ、コンピューター２６ａ、２６ｂ、および複数の照明装置５１ａ〜５１ｃを含む。複数の照明装置５１ａ〜５１ｃは、各印刷装置１１ａ〜１１ｃを照明可能に各印刷装置１１ａ〜１１ｃの上部に設けられている。印刷要求受信部３２は、印刷要求送信部により送信された印刷要求を受信する。印刷部１５は、印刷要求受信部３２により受信された印刷要求に応じて印刷を行う。印刷システム２７は、照明制御部３１を備える。照明制御部３１は、選択部により選択された印刷装置１１ａ〜１１ｃの上部に設けられた照明装置５１ａ〜５１ｃによる照明状態を制御する。【選択図】図２
2017065070.tif 000002
【特許請求の範囲】
【請求項１】
複数の印刷装置、複数の前記印刷装置とネットワークを介して通信可能に接続されているコンピューター、および各前記印刷装置を照明可能に各前記印刷装置の上部に設けられた複数の照明装置を含む印刷システムであって、
前記コンピューターは、ユーザーからの印刷要求を受け付ける受け付け部と、
複数の前記印刷装置の中から前記受け付け部によって受け付けられた前記印刷要求に応じて印刷を行う前記印刷装置を選択する選択部と、
前記選択部により選択された前記印刷装置に前記印刷要求を送信する印刷要求送信部とを備え、
各前記印刷装置は、
前記印刷要求送信部により送信された前記印刷要求を受信する印刷要求受信部と、
前記印刷要求受信部により受信された前記印刷要求に応じて印刷を行う印刷部とを備え、
前記印刷システムは、
前記選択部により選択された前記印刷装置の上部に設けられた前記照明装置による照明状態を制御する照明制御部を備える、印刷システム。
【請求項２】
前記照明制御部は、前記選択部により選択された前記印刷装置の上部に設けられた前記照明装置を明滅させるよう制御する、請求項１に記載の印刷システム。
【請求項３】
前記照明制御部は、前記選択部により選択された前記印刷装置の上部に設けられた前記照明装置による照明の色を、前記選択部により選択されなかった前記印刷装置の上部に設けられた前記照明装置による照明の色と異ならせるよう制御する、請求項１または２に記載の印刷システム。
【請求項４】
前記受け付け部により受け付けられる前記ユーザーを識別するユーザー識別部をさらに備え、
前記照明制御部は、前記ユーザー識別部により識別された前記ユーザー毎に、前記照明装置による明滅のパターンを異ならせて明滅させるよう制御する、請求項１〜３のいずれか１項に記載の印刷システム。
【請求項５】
前記照明制御部は、前記ユーザー識別部により識別された前記ユーザー毎に、前記照明装置による照明の色を異ならせて明滅させるよう制御する、請求項４に記載の印刷システム。
【請求項６】
前記照明制御部は、複数の前記ユーザーから前記選択部により同じ前記印刷装置が選択されれば、前記照明装置の色を前記ユーザー毎に交互に異ならせるよう制御する、請求項５に記載の印刷システム。
【請求項７】
各前記印刷装置の近傍に人がいるか否かを検知する複数の人感センサーをさらに備え、
前記照明制御部は、前記人感センサーにより、前記選択部により選択された前記印刷装置の近傍に人がいると検知されれば、前記印刷装置の上部に設けられた前記照明装置の明滅を前記印刷装置の近傍に人がいないと検知された場合と比較して小さくするよう制御する、請求項１〜６のいずれか１項に記載の印刷システム。
【請求項８】
各前記印刷装置は、出力された用紙が取り除かれたことを検知する用紙有無検知部をさらに備え、
前記照明制御部は、前記用紙有無検知部により出力された前記用紙が取り除かれたことを検知されれば、前記照明装置による照明状態の制御を終了する、請求項１〜７のいずれか１項に記載の印刷システム。
【請求項９】
各前記印刷装置は、前記照明制御部を備える、請求項１〜８のいずれか１項に記載の印刷システム。
【発明の詳細な説明】
【技術分野】
【０００１】
この発明は、印刷システムに関するものである。
【背景技術】
【０００２】
複合機等に代表される印刷装置においては、画像読み取り部で原稿の画像を読み取った後、印刷部に備えられる感光体に対して読み取った画像を基に光を照射し、感光体上に静電潜像を形成する。その後、形成した静電潜像の上に帯電したトナー等の現像剤を供給して可視画像とした後、用紙に転写して定着させて印刷し、装置外に排出する。
【０００３】
ここで、オフィスには、プリンターとして用いられる複数の印刷装置が配置されている場合がある。複数の印刷装置は、ネットワークを介して、複数のコンピューターに接続されている。ネットワークを通じて複数の印刷装置が接続された画像形成システムに関する技術が、特開２０１２−２３５２４２号公報（特許文献１）に開示されている。
【先行技術文献】
【特許文献】
【０００４】
【特許文献１】特開２０１２−２３５２４２号公報
【発明の概要】
【発明が解決しようとする課題】
【０００５】
特許文献１によると、画像データの転送に際し、各複合機の配置位置を記載した地図を表示部に表示することにしている。しかし、ユーザーは地図を見て印刷先、すなわち、出力される複合機の位置を把握する必要があり、ユーザーの手間が増加するおそれがある。また、地図の理解が不十分な場合、印刷先を誤って認識してしまうおそれもある。
【０００６】
この発明の目的は、ユーザーが出力先を容易に把握することができる印刷システムを提供することである。
【課題を解決するための手段】
【０００７】
この発明の一の局面においては、印刷システムは、複数の印刷装置、コンピューター、および複数の照明装置を含む。コンピューターは、複数の印刷装置とネットワークを介して通信可能に接続されている。複数の照明装置は、各印刷装置を照明可能に各印刷装置の上部に設けられている。コンピューターは、受け付け部と、選択部と、印刷要求送信部とを備える。受け付け部は、ユーザーからの印刷要求を受け付ける。選択部は、複数の印刷装置の中から受け付け部によって受け付けられた印刷要求に応じて印刷を行う印刷装置を選択する。印刷要求送信部は、選択部により選択された印刷装置に印刷要求を送信する。各印刷装置は、印刷要求受信部と、印刷部とを備える。印刷要求受信部は、印刷要求送信部により送信された印刷要求を受信する。印刷部は、印刷要求受信部により受信された印刷要求に応じて印刷を行う。印刷システムは、照明制御部を備える。照明制御部は、選択部により選択された印刷装置の上部に設けられた照明装置による照明状態を制御する。
【発明の効果】
【０００８】
このような印刷システムによると、照明制御部により、選択部により選択され、印刷要求に応じて印刷を行う印刷装置の上部に設けられた照明装置の照明状態が制御されるため、印刷を行う印刷装置の所在を照明によって容易に把握することができる。すなわち、例えば、出力先の印刷装置の上の照明装置を明滅させたり、色を変えた照明を行うことによって、ユーザーは、印刷要求に応じて印刷が行われた印刷装置の所在を把握することができる。この場合、ユーザーは、印刷装置の所在を地図等によって把握したり、確認する必要がない。したがって、このような印刷システムは、ユーザーが出力先を容易に把握することができる。
【図面の簡単な説明】
【０００９】
【図１】この発明の一実施形態に係る印刷システムに含まれる印刷装置を複合機に適用した場合の複合機の外観を示す概略斜視図である。
【図２】この発明の一実施形態に係る印刷システムの構成を示すブロック図である。
【図３】この発明の一実施形態に係る印刷システムの全体を示す図である。
【図４】コンピューター制御部の構成を示すブロック図である。
【図５】この発明の一実施形態に係る印刷システムによって印刷する場合の処理の流れを示すフローチャートである。
【図６】ユーザー認証を行う場合のコンピューターを示す図である。
【図７】照明装置が明滅している状態の印刷システムの全体を示す図である。
【図８】この発明の他の実施形態に係る印刷システムの全体を示す図である。
【図９】この発明のさらに他の実施形態に係る印刷システムの構成を示すブロック図である。
【図１０】この発明のさらに他の実施形態に係る印刷システムによって印刷する場合の処理の流れを示すフローチャートである。
【発明を実施するための形態】
【００１０】
以下、この発明の実施の形態を説明する。図１は、この発明の一実施形態に係る印刷システムに含まれる印刷装置を複合機に適用した場合の複合機の外観を示す概略斜視図である。図２は、この発明の一実施形態に係る印刷システムの構成を示すブロック図である。図３は、この発明の一実施形態に係る印刷システムの全体を示す図である。
【００１１】
図１〜図３を参照して、この発明の一実施形態に係る印刷システム２７に含まれる複合機１１ａは、複合機制御部１２と、操作部１３と、画像読み取り部１４と、用紙セット部１９と、画像形成部１５と、データを記憶する記憶部としてのハードディスク１６と、ファクシミリ通信部１７と、ネットワーク２５と接続するためのネットワークインターフェース部１８とを備える。
【００１２】
複合機制御部１２は、複合機１１ａ全体の制御を行う。操作部１３は、複合機１１ａ側から発信する情報やユーザーの入力内容を表示する表示画面２１を含む。操作部１３は、印刷部数や階調性等の画像形成の条件や電源のオンまたはオフを入力させる。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または図示しない載置台上にセットされた原稿の画像を読み取る。用紙セット部１９は、手差しで用紙をセットする手差しトレイ２８やサイズの異なる複数枚の用紙を収納可能な給紙カセット群２９を含む。用紙セット部１９は、画像形成部１５に供給する用紙をセットさせる。画像形成部１５は、画像読み取り部１４により読み取られた画像やネットワーク２５を介して送信された画像データを基に、搬送されてきた用紙に画像を形成する。画像形成部１５により画像を形成された用紙は、排出トレイ３０に排出される。ハードディスク１６は、送信された画像データや入力された画像形成条件等の格納を行う。ファクシミリ通信部１７は、公衆回線２４に接続されており、ファクシミリ送信やファクシミリ受信を行う。
【００１３】
なお、複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。なお、図１に示すように、この実施形態においては、給紙カセット群２９は、３つの給紙カセット２３ａ、２３ｂ、２３ｃから構成されている。また、ハードディスク１６には、複合機１１ａが設置されている場所に関するデータや、給紙カセット２３ａ〜２３ｃにどのようなサイズの用紙が収納されているかといったデータも記憶されている。
【００１４】
複合機１１ａは、画像読み取り部１４により読み取られた原稿の画像データを用いて画像形成部１５において画像を形成することにより、複写機として作動する。また、複合機１１ａは、ネットワークインターフェース部１８を通じて、ネットワーク２５に接続されたコンピューター２６ａ、２６ｂから送信された画像データを用いて、画像形成部１５において画像を形成して用紙に印刷することにより、プリンターとして作動する。すなわち、画像形成部１５は、要求された画像を印刷する印刷部として作動する。また、複合機１１ａは、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。すなわち、複合機１１ａは、画像処理に関し、複写機能、プリンター機能、ファクシミリ機能等、複数の機能を有する。さらに、各機能に対しても、詳細に設定可能な機能を有する。
【００１５】
この発明の一実施形態に係る印刷システム２７は、上記した構成の複合機１１ａと、複合機１１ａと同様の構成を有する他の複合機１１ｂ、１１ｃと、ネットワーク２５を介して複合機１１ａ〜１１ｃにそれぞれ通信可能に接続される二つのコンピューター２６ａ、２６ｂと、各複合機１１ａ〜１１ｃに対応して設けられた三つの照明装置５１ａ、５１ｂ、５１ｃとを備える。各コンピューター２６ａ、２６ｂはそれぞれ、各複合機１１ａ〜１１ｃに対して、ネットワーク２５を介して印刷要求を行って印刷をすることができる。複合機１１ａ〜１１ｃとコンピューター２６ａ、２６ｂとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、さらに他の複合機やコンピューター、サーバー等が接続されている構成でもよい。もちろん、印刷システム２７に含まれるコンピューター２６ａは、一つであってもよい。
【００１６】
次に、照明装置５１ａの構成について、説明する。照明装置５１ａは、複合機１１ａの上部に設けられている。具体的には、照明装置５１ａは、複合機１１ａの上の天井５４に取り付けられている。照明装置５１ａは、複合機１１ａを照明可能に構成されている。照明装置５１ａは、照明装置５１ａ全体の制御を行う照明装置制御部５２と、複合機１１ａを照らすライト５３とを備える。ライト５３は、明滅のパターンや照明の色を異ならせて、光を照らすことができる。ライト５３の明滅のパターン等については、後述する複合機１１ａに含まれる照明制御部３１により制御されている。なお、他の照明装置５１ｂ、５１ｃの構成については、照明装置５１ａと同様の構成であるため、それらの説明を省略する。照明装置５１ｂは、複合機１１ｂの上部に設けられている。照明装置５１ｃは、複合機１１ｃの上部に設けられている。
【００１７】
次に、コンピューター２６ａの構成について、簡単に説明する。コンピューター２６ａは、コンピューター２６ａ自身を制御するコンピューター制御部４１と、コンピューター２６ａにおける情報を表示する表示画面となるディスプレイ４２と、ユーザーからコンピューター２６ａに対する入力のインターフェースとなるキーボード４３およびマウス（図示せず）とを備える。ユーザーは、ディスプレイ４２に表示される表示画面を見て、キーボード４３およびマウスを用いて、コンピューター２６ａへの動作の実行や数値データの入力等の操作を行う。なお、コンピューター２６ｂについては、コンピューター２６ａと構成が同じであるため、その説明を省略する。
【００１８】
次に、コンピューター制御部４１の構成について説明する。図４は、コンピューター制御部４１の構成を示すブロック図である。図１〜図４を参照して、コンピューター制御部４１は、受け付け部４４と、選択部４５と、印刷要求送信部４６とを備える。受け付け部４４は、ユーザーからの印刷要求を受け付ける。選択部４５は、複合機１１ａ〜１１ｃの中から受け付け部４４によって受け付けられた印刷要求に応じて印刷を行う複合機１１ａ〜１１ｃを選択する。印刷要求送信部４６は、選択部４５により選択された複合機１１ａ〜１１ｃに印刷要求を送信する。
【００１９】
なお、複合機制御部１２は、照明制御部３１と、印刷要求受信部３２とを備える。照明制御部３１は、選択部４５により選択された複合機１１ａ〜１１ｃの上部に設けられた照明装置５１ａ〜５１ｃによる照明状態を制御する。印刷要求受信部３２は、印刷要求送信部４６により送信された印刷要求を受信する。また、印刷部としての画像形成部１５は、印刷要求受信部３２により受信された印刷要求に応じて印刷を行う。
【００２０】
次に、この発明の一実施形態に係る印刷システム２７を用いて、印刷を行う場合について説明する。図５は、この発明の一実施形態に係る印刷システム２７によって印刷を行う場合の処理の流れを示すフローチャートである。この場合、印刷システム２７に含まれるコンピューター２６ａによって印刷の要求を行うものとする。
【００２１】
図１〜図５を参照して、印刷システム２７において、ユーザーは、ユーザー認証を受けるため、コンピューター２６ａにおいて、ログインを行う（図５において、ステップＳ１１、以下、「ステップ」を省略する）。図６は、ユーザー認証を行う場合のコンピューター２６ａを示す図である。
【００２２】
図６を参照して、コンピューター２６ａのディスプレイ４２には、「ユーザー名」の文字と、「ユーザー名」の文字の横に設けられ、ユーザー名の入力を受け付けるユーザー名入力部４８と、「パスワード」の文字と、「パスワード」の文字の横に設けられ、パスワードの入力を受け付けるパスワード入力部４９とが表示されている。ユーザーは、キーボードやマウスを用いて、ユーザー名入力部４８およびパスワード入力部４９に入力を行う。コンピューター制御部４１は、入力されたユーザー名およびパスワードから、ユーザーを識別する。
【００２３】
次に、コンピューター制御部４１に含まれる受け付け部４４は、ユーザーからの画像形成の要求を受け付ける（Ｓ１２）。この時、画像データや用紙のサイズの入力も受け付ける。
【００２４】
その後、コンピューター制御部４１に含まれる選択部４５は、複合機１１ａ〜１１ｃの中から受け付け部４４によって受け付けられた印刷要求に応じて印刷を行う複合機１１ａ〜１１ｃを選択する（Ｓ１３）。ここでは、例えば、用紙のサイズがＡ３サイズの印刷の要求であり、給紙カセット２３ａに収納されている用紙のサイズがＡ３サイズである複合機１１ａが選択されるとする。この場合、ユーザーによる複合機１１ａの指定ではなく、選択部４５により自動で行われる。選択部４５は、コンピューター２６ａから比較的近いというデータや、給紙カセット２３ａにＡ３サイズの用紙が収納されているというデータを、各複合機１１ａ〜１１ｃに含まれるハードディスク１６から入手することにより、複合機１１ａを選択する。
【００２５】
次に、コンピューター制御部４１に含まれる印刷要求送信部４６は、選択部４５により選択された複合機１１ａに対し、入力された画像データ、用紙のサイズといったデータと合わせて、印刷要求の指示を送信する（Ｓ１４）。この場合、ネットワーク２５を介して行われる。
【００２６】
そうすると、複合機制御部１２に含まれる印刷要求受信部３２は、印刷要求送信部４６から送信された印刷要求を受信する（Ｓ１５）。この場合、併せて送信される画像データや用紙のサイズといったデータも受信する。
【００２７】
その後、選択された複合機１１ａにより、印刷を行う（Ｓ１６）。すなわち、送信された画像データを基に、給紙カセット２３ａに収納されたＡ３サイズの用紙を用い、印刷を行う。
【００２８】
ここで、印刷を行うと共に、複合機制御部１２に含まれる照明制御部３１は、複合機１１ａの上部の照明装置５１ａを明滅させる（Ｓ１７）。この場合、入力されたユーザー名のデータにより識別されたユーザーに応じて、予め登録されていた明滅のパターンで、照明装置５１ａに含まれるライト５３を明滅させる。ユーザー毎の明滅のパターンは、照明装置制御部５２に記憶されている。
【００２９】
その後、所定の時間が経過すれば（Ｓ１８において、ＹＥＳ）、複合機１１ａの上部の照明装置５１ａの明滅を解除する（Ｓ１９）。そして、処理を終了する。
【００３０】
このような印刷システム２７によれば、照明制御部３１により、選択部４５により選択され、印刷要求に応じて印刷を行う複合機１１ａの上部に設けられた照明装置５１ａの照明状態が制御されるため、印刷を行う複合機１１ａの所在を照明によって容易に把握することができる。具体的には、出力先の複合機１１ａの上の照明装置５１ａを明滅させることによって、ユーザーは、印刷要求に応じて印刷が行われた複合機１１ａの所在を把握することができる。この場合、ユーザーは、複合機１１ａの所在を地図等によって把握したり、確認する必要がない。したがって、このような印刷システム２７は、ユーザーが出力先を容易に把握することができる。
【００３１】
この場合、ユーザーに応じた明滅のパターンで照明装置５１ａの明滅を行っているため、よりユーザーが自ら印刷要求を行った印刷の出力先を把握することができる。
【００３２】
なお、ユーザー毎に、照明装置５１ａの明滅のパターンを異ならせることにしてもよい。こうすることにより、明滅のパターンによって、各ユーザーは、自らの印刷要求に対して、出力先を容易に把握することができる。
【００３３】
また、上記の実施の形態においては、照明装置５１ａを明滅させることとしたが、これに限らず、選択部４５により選択された複合機１１ａの上部に設けられた照明装置５１ａによる照明の色を、選択部４５により選択されなかった複合機１１ｂ、１１ｃの上部に設けられた照明装置５１ｂ、５１ｃによる照明の色と異ならせるよう制御するようにしてもよい。こうすることにより、照明の色の相違で、出力先となる複合機１１ａを把握することができる。この場合、ユーザー毎に照明の色を異ならせるよう制御してもよい。こうすることにより、照明の色によって、各ユーザーは、自らの印刷要求に対して、出力先を容易に把握することができる。
【００３４】
また、上記の実施の形態においては、照明装置５１ａの明滅のパターンを、ユーザー毎に異ならせることとしたが、これに限らず、識別されたユーザー毎に、照明装置５１ａによる照明の色を異ならせて明滅させるよう制御するようにしてもよい。こうすることにより、照明の色によって、各ユーザーは、自らの印刷要求に対して、出力先を容易に把握することができる。
【００３５】
なお、以下の構成としてもよい。図８は、この発明の他の実施形態に係る印刷システムの全体を示す図である。図８を参照して、複合機１１ａ〜１１ｃは、各複合機１１ａ〜１１ｃの近傍に人がいるか否かを検知する複数の人感センサー３３ａ、３３ｂ、３３ｃをさらに備える。そして、照明制御部３１は、人感センサー３３ａにより、選択部４５により選択された複合機１１ａの近傍に人がいると検知されれば、複合機１１ａの上部に設けられた照明装置５１ａの明滅を複合機１１ａの近傍に人がいないと検知された場合と比較して小さくするよう制御する。こうすることにより、複合機１１ａの近傍に人がいた場合に、人への光の影響を小さくすることができる。
【００３６】
また、以下の構成としてもよい。図９は、この発明のさらに他の実施形態に係る印刷システム２７の構成を示すブロック図である。図１０は、この発明のさらに他の実施形態に係る印刷システム２７によって印刷する場合の処理の流れを示すフローチャートである。
【００３７】
図９および図１０をさらに参照して、複合機１１ａ〜１１ｃは、排出トレイ３０に排出され、出力された用紙が取り除かれたことを検知する用紙有無検知部としての用紙有無検知センサー３４をさらに備える。処理の流れについて説明すると、Ｓ２１〜Ｓ２７までの処理については、図５におけるＳ１１〜Ｓ１７までの処理と同様であるため、それらの説明を省略する。
【００３８】
そして、Ｓ２８において、照明制御部３１は、用紙有無検知センサー３４により出力された用紙が取り除かれたことを検知されれば（Ｓ２８において、ＹＥＳ）、照明装置５１ａによる照明状態の制御を解除する（Ｓ２９）。こうすることにより、出力された用紙が取り除かれるまで、ユーザーに出力先の複合機１１ａを知らせることができる。
【００３９】
また、上記の実施の形態においては、ユーザーの識別に際し、ログインにより入力されたユーザー名を用いることとしたが、これに限らず、例えば、印刷要求と共にユーザー名を入力させ、入力されたユーザー名からユーザーを識別するようにしてもよい。
【００４０】
なお、上記の実施の形態において、照明制御部３１は、複数のユーザーから選択部４５により同じ複合機１１ａが選択されれば、照明装置５１ａの色をユーザー毎に交互に異ならせるよう制御するようにしてもよい。すなわち、コンピューター２６ａ、２６ｂからそれぞれ異なるユーザーが印刷要求を行った場合において、複合機１１ａがそれぞれ選択された際に、照明装置５１ａの色を各コンピューター２６ａ、２６ｂから印刷要求を行ったユーザー毎に交互に異ならせるよう制御する。こうすることにより、各ユーザーが、複合機１１ａに出力されていることを認識することができる。
【００４１】
また、上記の実施の形態において、各複合機１１ａ〜１１ｃが、照明制御部３１を備えることとしたが、これに限らず、コンピューター２６ａ、２６ｂが照明制御部３１を備える構成としてもよい。
【００４２】
なお、上記の実施の形態においては、天井５４に照明装置５１ａ等が取り付けられていることとしたが、これに限らず、各複合機１１ａ〜１１ｃが配置されている部屋の照明そのものを利用してもよい。すなわち、部屋の照明が照明装置５１ａ等を兼ね、複合機１１ａの真上にある部屋の照明を印刷の動作と連携させる構成とする。具体的には、まず、印刷要求を受け付けた後に、印刷を行う複合機１１ａ〜１１ｃを選択して、印刷要求を送信する。そして、印刷要求を行った複合機１１ａ〜１１ｃの真上の照明を明滅等させるようにする。このように構成しても良い。なお、印刷要求を行った複合機１１ａ〜１１ｃの真上に照明が配置されていない場合には、最も近い位置に配置されている照明を明滅等させるか、または、印刷要求を行った複合機１１ａ〜１１ｃを照らすように、近傍の照明を明滅させるようにしてもよい。
【００４３】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４４】
この発明に係る印刷システムは、ユーザーによる出力先の容易な把握が要求される場合に、特に有効に利用される。
【符号の説明】
【００４５】
１１ａ，１１ｂ，１１ｃ  複合機、１２  複合機制御部、１３  操作部、１４  画像読み取り部、１５  画像形成部、１６  ハードディスク、１７  ファクシミリ通信部、１８  ネットワークインターフェース部、１９  用紙セット部、２１  表示画面、２２  ＡＤＦ、２３ａ，２３ｂ，２３ｃ  給紙カセット、２４  公衆回線、２５  ネットワーク、２６ａ，２６ｂ  コンピューター、２７  印刷システム、２８  手差しトレイ、２９  給紙カセット群、３０  排出トレイ、３１  照明制御部、３２  印刷要求受信部、３３ａ，３３ｂ，３３ｃ  人感センサー、３４  用紙有無検知センサー、４１  コンピューター制御部、４２  ディスプレイ、４３  キーボード、４４  受け付け部、４５  選択部、４６  印刷要求送信部、４８  ユーザー名入力部、４９  パスワード入力部、５１ａ，５１ｂ，５１ｃ  照明装置、５２  照明装置制御部、５３  ライト、５４  天井。
【図１】
2017065070.tif 000003
【図２】
2017065070.tif 000004
【図３】
2017065070.tif 000005
【図４】
2017065070.tif 000006
【図５】
2017065070.tif 000007
【図６】
2017065070.tif 000008
【図７】
2017065070.tif 000009
【図８】
2017065070.tif 000010
【図９】
2017065070.tif 000011
【図１０】
2017065070.tif 000012